(57)【要約】【課題】  本発明は着尺・洋服生地に部分的にビロード図柄を挿入する場合の繊細な織物組織を提供する。【解決手段】  本発明は、今までの柄ビロード構成方法でなく、図１のビロード織の新しい織物組織を用いビロード図柄を構成し、図２の非ビロード織の織物組織の形成と選択組合せしめ、着尺・洋服生地にビロード図柄を部分的に形成するビロード柄表現方法を採用し、一層の柄表現を強調させた。【選択図】      図１
2005320671.tif 000002
【特許請求の範囲】
【請求項１】
図１、図２織物組織を併用することにより無図地組織の和服、洋服地の上に、個々にビロード図柄組織と非ビロード図柄組織とを選択組合せ表現させ、糸（経糸）が抜けない繊細なビロード織りを併用図柄にて構成させたことを特徴とするビロード織。
【請求項２】
和服、洋服地の無図の地組織の上に、図１の織物組織だけを使用し、繊細なビロード図柄のみにて無図地組織の和服、洋服地の上に、組合せ構成したことを特徴とするビロード織。
【発明の詳細な説明】
【技術分野】
【０００１】本発明は、和服、洋服地にビロード図柄を表現させることに関する。
【背景技術】
【０００２】従来の和服、洋服地にビロード図柄を別個に構成させる織り組織方法に関する先出願については見あたらない。【０００３】その中でも、絹糸からなるビロード布地の製造方法からなる物で、近いと思われるものでは、絹紡又は正絹を一般のパイル織機、又は編み機にかけてしかないと判断される。【０００４】以下、特開平９−３１７９８号の特許明細書により、シルク・ビロード布地、又は編み地とその製造方法について説明する。【０００５】その発明は絹糸からなるビロード布地、又は編み地とその製造方法からのもので、絹紡又は正絹を一般のパイル織機、又は編み機にかけて全面にパイル製造し、上をカットし全面をビロード布地、又は編み地に構成したものである。【０００６】従って、特許請求の範囲には下記のように表明している。即ち、
（請求項１）
カットされたパイルと地組織となるビロード布地、又は編み地において、パイルと地組織は収縮処理を施され、前記地組織がカットされたパイルを編結しているビロード布地、又は編み地。
（請求項２）
前記パイルと地組織に絹紡を使用。
（請求項３）
前記パイルと地組織に正絹を使用したことを特徴とするシルク・ビロード布地、又は編み地。
（請求項４）
前記パイルには正絹を使用し、地組織には絹紡を使用したシルク・ビロード布地、又は編み地。
と表わしている。【０００７】記述された先願は、カットされたパイルと地組織は共に収縮処理され、この地組織がカットされたパイルを編結して形成され、絹紡又は正絹に絹のビロード布地、又は編み地を提供するシルク・ビロード布地、又は編み地に構成させる構造のものであった。【０００８】
【技術文献１】
特開平９−３１７９８号公報  （第１頁）
【発明の開示】
【発明が解決しようとする課題】
【０００９】一般に使用される今までの柄ビロードの構成は、図３のみで織り上げた生地である。踏みせは４枚使用し、経糸１本のみ（経糸全体の５０％）踏みせが踏む、ビロードが荒い。
図３では紅花で描くことはない、紅花で描いてカットするのは図４である。
今までに特許を取っていたのは図３である。【００１０】従来、図１の組織のみで、図４の組織のみで織り上げた生地（無地の生地）に、例えば紅花で絵を描き、絵を描いた部分を先端部をカットすることにより、従来では柄表現をしていた。
そこで解決しようとする課題を試行した結果、図１の組織、図２の組織の併用により、無地の生地でなく柄を表現させ、その柄の部分をカットすることにより、今までのように絵を描く必要が無くなり、柄として表現が出来ることを発見できた。
【発明を解決するための手段】
【００１１】本発明は、この今までの、柄ビロードの構成方法でなく、図１のビロード織の織物組織の形成と、図２のビロード織の織物組織の非ビロード形成とを選択組合せして形成する表現方法により、即ち、図１と図２の併用、そして図２では別踏みせを８枚使用（経糸全部に踏みせが入る）して柄表現を強調し、交互に踏みせを踏むことにより今までに無いビロードが抜けない繊細なビロードを取得することが出来た。
このため図２の生地が図１のビロード柄を明瞭に表現させることができ、図１の織物組織にて形成されたビロード柄先端をカットすることにより、今までに無いビロード絵図を提供できた。
【００１２】図１、図４だけの組合せは棒刀だけで組織を組んでいる今までの方式であり、
図１、図２の組合せは、本発明の手段を示し、本発明ではかかる併用には経糸３６００本（実質５４００本）、ジャカードで形成したその柄の部分に全部の経糸に踏みせを入れて図２の組織を組んでやる手段を採択する。
【発明の効果】
【００１３】図１、図２の組織組合せにより、今までにない繊細なビロードが出来、ビロードそのものが柄組織にてしっかり保持され、抜けのない柄表現が取得出来る。
【発明を実施するための最良の形態】
【００１４】本発明は従来の図１、図４の生地組織図形態でなく、図１、図２の組織図の併用により絵を描きビロード柄を形成させる手段を採用し、従来の手段も省け、ジャカードにより製織されたビロード柄だけを形成させる最良の形態が取得できる。
【実施例１】
【００１５】図１、図２織物組織を和服、洋服地の上に組み合わせることにより無図地組織の和服、洋服地の上に、ジャカード作用により個々にビロード図柄組織（図１）と非ビロード図柄組織（図２）とを（図５）の選択組合せして今までにないビロード織形態にて構成させる。この形態の織物組織を請求項１に請求する。【００１６】図１は棒刀で地組織を組み、
図２の反ビロード柄表現させるために、ジャカードで経糸を持ち上げ、押さえる糸は踏みせで踏みこませる。即ち、経糸全部に踏みせが入ってしっかりとした非ビロード織物を構成せしめる。【００１７】従来から使用されているビロードに織り形成には、古くから柄ビロード構成には図３の組織図を、従来のビロード構成には図４の織物組織が用いられていることが一般である。
【実施例２】
【００１８】実施例２は、実施例１にて構成される図２のビロード織の織物組織の非形成とを選択し組合せして形成する表現方法を用いず、ビロード組織の出来ない和服、洋服地の上に、図１のビロード組織図にてビロード構成させ、二つの織物組織のみにて実施例１よりも明確さが劣るビロード柄にて構成されるビロード織にて形成させる。【００１９】しかし、織物の全面がビロード化した従来のビロード織に多い形態でなく、実施例１と同じくビロード組織のない和服、洋服地の上にビロード柄が部分的に形成させることには変わりない。
【産業上の利用可能性】
【００２０】本発明のビロード織はボリーム感ある明瞭な柄を表現し、ビロードの美しさ、繊細な折り込み等今までにない実感を皆に感じさせ、利用可能性が大である。
【図面の簡単な説明】
【００２１】
【図１】本発明のビロード組織図
【図２】本発明の非ビロード組織図
【図３】従来の柄ビロード組織図
【図４】従来のビロード組織図
【図５】本発明の実施例１に示す和服・洋服の図柄
【図６】本発明の実施例２に示す和服・洋服の図柄
【符号の説明】
１．  ビロード部分
２．  非ビロード部分
３．  通常の着尺・洋服組織形成部分
【図１】
2005320671.tif 000003
【図２】
2005320671.tif 000004
【図３】
2005320671.tif 000005
【図４】
2005320671.tif 000006
【図５】
2005320671.tif 000007
【図６】
2005320671.tif 000008